(57)【要約】【課題】良好な組付け作業性の確保と体格の小型化。【解決手段】各電線１０の電線収容室２０ａを有する第１収容体２０と、端子接続部品４０の電線接続部４２と電線の一方の端末とを収容し、これらを電気接続させる接続部収容室３０ａ及び接続作業口３０ｂを有する第２収容体３０と、を備え、第１収容体と第２収容体は、電線収容室と接続部収容室との間で電線を案内可能な第１ガイド部２６と第２ガイド部３６を各々有し、電線収容室の底壁２１と接続作業口とを重ね合わせて積層させ、第１ガイド部は、積層状態で電線収容室と接続部収容室とを連通させる底壁の第１電線ガイド部２６ａと、第１電線ガイド部に連接させた電線収容室の第１側壁２２の第２電線ガイド部２６ｂと、を有し、第２ガイド部は、接続作業口に連接させ且つ積層状態のときに第１電線ガイド部に隣設させるべく、電線収容室の第２側壁２３が積層される接続部収容室の側壁３２に設けること。【選択図】図３
2020119652.tif 000002
【特許請求の範囲】
【請求項１】
導電性の端子接続部品の電線接続部に対して一方の端末を電気的に接続させ、かつ、配列されたそれぞれの前記端子接続部品の配列方向に沿って配策させる前記端子接続部品毎の電線と、
それぞれの前記電線を収容し、収容されたそれぞれの前記電線を前記配列方向に沿って案内する底壁が設けられた電線収容室、及び、それぞれの前記電線を前記電線収容室に収容させる際の挿入口が形成された第１収容体と、
それぞれの前記端子接続部品の前記電線接続部とそれぞれの前記電線の前記一方の端末とを収容する接続部収容室、及び、それぞれの前記電線接続部とそれぞれの前記電線の前記一方の端末とを電気接続させる際の接続作業口が形成された第２収容体と、
前記底壁と前記接続作業口とを重ね合わせて積層された前記第１収容体及び前記第２収容体を積層状態に保つ保持機構と、
を備え、
前記第１収容体は、前記電線収容室と前記接続部収容室との間で前記電線を案内可能な第１ガイド部を有し、
前記第２収容体は、前記接続部収容室と前記電線収容室との間で前記電線を案内可能な第２ガイド部を有し、
前記第１ガイド部は、前記底壁に設け、前記積層状態のときに前記電線収容室と前記接続部収容室とを連通させる第１電線ガイド部と、前記第１電線ガイド部に連接させるべく、収容されたそれぞれの前記電線を前記配列方向に沿って案内する前記電線収容室の第１側壁及び第２側壁の内の一方に設けた第２電線ガイド部と、を有し、
前記第２ガイド部は、前記接続作業口に連接させ且つ前記積層状態のときに前記第１電線ガイド部に隣設させるべく、前記積層状態のときに前記第１側壁及び前記第２側壁の内の他方が積層される前記接続部収容室の側壁に設けることを特徴とした導電モジュール。
【請求項２】
前記第１ガイド部は、前記第２電線ガイド部を前記挿入口にも連接させ、前記電線収容室の前記底壁と前記第１側壁及び前記第２側壁の内の前記一方とを前記挿入口側から切り欠いた切欠き形状に形成することを特徴とした請求項１に記載の導電モジュール。
【請求項３】
前記積層状態のときに前記第２電線ガイド部を塞ぐことが可能な第１閉塞部と前記積層状態のときに前記第２ガイド部を塞ぐことが可能な第２閉塞部の内の少なくとも一方を設けることを特徴とした請求項１又は２に記載の導電モジュール。
【請求項４】
前記第１閉塞部と前記第２閉塞部は、前記第１収容体に設けることを特徴とした請求項３に記載の導電モジュール。
【請求項５】
前記第１収容体は、前記電線収容室に収容された前記電線を前記電線収容室に止めることが可能な電線係止部を有し、
前記電線係止部は、前記挿入口から前記電線収容室への前記電線の収容作業が可能な収容作業位置と、前記電線収容室に収容された前記電線を前記電線収容室に止めることが可能な電線係止位置と、の間で前記挿入口に対して変位させるものとして形成し、
前記第１閉塞部は、前記電線係止部に設け、前記積層状態で前記電線係止部が前記電線係止位置のときに前記第２電線ガイド部を塞ぐものとして形成することを特徴とした請求項３又は４に記載の導電モジュール。
【発明の詳細な説明】
【技術分野】
【０００１】
本発明は、導電モジュールに関する。
【背景技術】
【０００２】
従来、電気自動車やハイブリッド車等の車両には、その駆動源となる回転機に対して給電を行う電池モジュールと、その電池モジュールを成す複数の電池セルの電池状態を監視するための電池監視ユニットと、が搭載されている。更に、この車両には、少なくとも電池セルと電池監視ユニットとの間の電気接続を担う導電モジュールが搭載されている。その導電モジュールは、電池セルの間の電気接続を担う場合もある。例えば、導電モジュールは、隣り合う電池セルの電極端子同士を電気接続させる導電性の端子接続部品を複数備えており、それぞれの端子接続部品で電極端子同士を電気接続させることによって、それぞれの電池セルを直列又は並列に繋ぐ。更に、この導電モジュールは、端子接続部品に電気接続させる電線を端子接続部品毎に備えており、それぞれの電線を電池監視ユニットに電気接続させることによって、それぞれの電池セルの電池状態に関わる信号を電池監視ユニットの演算処理装置に送る。導電モジュールは、それぞれの端子接続部品とそれぞれの電線を収容する絶縁性の収容部品を備えている。例えば、下記の特許文献１には、この種の導電モジュールについて開示されている。
【先行技術文献】
【特許文献】
【０００３】
【特許文献１】特許第５７３４６０７号公報
【発明の概要】
【発明が解決しようとする課題】
【０００４】
ところで、導電モジュールは、電池モジュールへと組み付ける際に、複数の端子接続部品と複数本の電線との間の接続作業、複数本の電線の電池監視ユニット側への配索作業等の各種組付け作業を必要とする。更に、この導電モジュールは、端子接続部品を備える場合、複数の端子接続部品の電池セルへの接続作業も行う必要がある。また、この導電モジュールは、車両への搭載要件により、体格の小型化が求められる。
【０００５】
そこで、本発明は、良好な組付け作業性を確保しつつ体格の小型化を図ることが可能な導電モジュールを提供することを、その目的とする。
【課題を解決するための手段】
【０００６】
上記目的を達成する為、本発明は、導電性の端子接続部品の電線接続部に対して一方の端末を電気的に接続させ、かつ、配列されたそれぞれの前記端子接続部品の配列方向に沿って配策させる前記端子接続部品毎の電線と、それぞれの前記電線を収容し、収容されたそれぞれの前記電線を前記配列方向に沿って案内する底壁が設けられた電線収容室、及び、それぞれの前記電線を前記電線収容室に収容させる際の挿入口が形成された第１収容体と、それぞれの前記端子接続部品の前記電線接続部とそれぞれの前記電線の前記一方の端末とを収容する接続部収容室、及び、それぞれの前記電線接続部とそれぞれの前記電線の前記一方の端末とを電気接続させる際の接続作業口が形成された第２収容体と、前記底壁と前記接続作業口とを重ね合わせて積層された前記第１収容体及び前記第２収容体を積層状態に保つ保持機構と、を備え、前記第１収容体は、前記電線収容室と前記接続部収容室との間で前記電線を案内可能な第１ガイド部を有し、前記第２収容体は、前記接続部収容室と前記電線収容室との間で前記電線を案内可能な第２ガイド部を有し、前記第１ガイド部は、前記底壁に設け、前記積層状態のときに前記電線収容室と前記接続部収容室とを連通させる第１電線ガイド部と、前記第１電線ガイド部に連接させるべく、収容されたそれぞれの前記電線を前記配列方向に沿って案内する前記電線収容室の第１側壁及び第２側壁の内の一方に設けた第２電線ガイド部と、を有し、前記第２ガイド部は、前記接続作業口に連接させ且つ前記積層状態のときに前記第１電線ガイド部に隣設させるべく、前記積層状態のときに前記第１側壁及び前記第２側壁の内の他方が積層される前記接続部収容室の側壁に設けることを特徴としている。
【０００７】
ここで、前記第１ガイド部は、前記第２電線ガイド部を前記挿入口にも連接させ、前記電線収容室の前記底壁と前記第１側壁及び前記第２側壁の内の前記一方とを前記挿入口側から切り欠いた切欠き形状に形成することが望ましい。
【０００８】
また、前記積層状態のときに前記第２電線ガイド部を塞ぐことが可能な第１閉塞部と前記積層状態のときに前記第２ガイド部を塞ぐことが可能な第２閉塞部の内の少なくとも一方を設けることが望ましい。
【０００９】
また、前記第１閉塞部と前記第２閉塞部は、前記第１収容体に設けることが望ましい。
【００１０】
また、前記第１収容体は、前記電線収容室に収容された前記電線を前記電線収容室に止めることが可能な電線係止部を有し、前記電線係止部は、前記挿入口から前記電線収容室への前記電線の収容作業が可能な収容作業位置と、前記電線収容室に収容された前記電線を前記電線収容室に止めることが可能な電線係止位置と、の間で前記挿入口に対して変位させるものとして形成し、前記第１閉塞部は、前記電線係止部に設け、前記積層状態で前記電線係止部が前記電線係止位置のときに前記第２電線ガイド部を塞ぐものとして形成することが望ましい。
【発明の効果】
【００１１】
本発明に係る導電モジュールにおいては、挿入口と接続作業口とを露出させた作業位置で、挿入口からそれぞれの電線を電線収容室に収容し、かつ、その電線の一方の端末を接続作業口から接続部収容室に収容して、電線と端子接続部品の電線接続部との電気接続作業を接続作業口から実施することができる。また、本発明に係る導電モジュールにおいては、第１収容体を第２収容体に積層させるだけで、その第１収容体によって第２収容体の接続作業口を塞ぐことができる。このように、本発明に係る導電モジュールは、組付け作業性が良好なものとなっている。一方、本発明に係る導電モジュールは、第１収容体と第２収容体とを積層させるので、第１収容体と第２収容体とを積層させずにそのままの位置で止めておくものと比較して、第１収容体又は第２収容体が存在している場所の分だけ積層位置での体格の小型化を図ることができる。従って、本発明に係る導電モジュールは、良好な組付け作業性を確保しつつ体格の小型化を図ることができる。
【図面の簡単な説明】
【００１２】
【図１】図１は、実施形態の導電モジュールを示す分解斜視図である。
【図２】図２は、実施形態の導電モジュールを示す分解斜視図である。
【図３】図３は、実施形態の導電モジュールにおける一方の電極端子群側を部分的に拡大した分解斜視図である。
【図４】図４は、実施形態の導電モジュールにおける一方の電極端子群側を部分的に拡大した分解斜視図である。
【図５】図５は、実施形態の導電モジュールにおける一方の電極端子群側を部分的に拡大した分解斜視図である。
【図６】図６は、実施形態の導電モジュールにおける一方の電極端子群側を部分的に拡大した分解斜視図である。
【図７】図７は、実施形態の導電モジュールにおける一方の電極端子群側を部分的に拡大した分解斜視図である。
【図８】図８は、実施形態の導電モジュールにおける一方の電極端子群側を部分的に拡大した斜視図である。
【図９】図９は、実施形態の導電モジュールを示す斜視図である。
【図１０】図１０は、電池モジュールを示す斜視図である。
【図１１】図１１は、端子接続部品を示す斜視図である。
【図１２】図１２は、第１収容体を別角度から見た部分拡大図である。
【図１３】図１３は、第１収容体を別角度から見た部分拡大図である。
【図１４】図１４は、第１閉塞部について説明する平面図である。
【図１５】図１５は、第２閉塞部について説明する斜視図である。
【発明を実施するための形態】
【００１３】
以下に、本発明に係る導電モジュールの実施形態を図面に基づいて詳細に説明する。尚、この実施形態によりこの発明が限定されるものではない。
【００１４】
［実施形態］
本発明に係る導電モジュールの実施形態の１つを図１から図１５に基づいて説明する。
【００１５】
図１から図９の符号１は、本実施形態の導電モジュールを示す。導電モジュール１は、電池モジュールＢＭ（図１０）に組み付けることによって、この電池モジュールＢＭと共に電池パックＢＰを構成する。電池パックＢＰとは、回転機を駆動源として備える車両（電気自動車やハイブリッド車等）に搭載されるものであり、その回転機に対する給電等に供される。尚、図３から図８の導電モジュール１は、その一部を抜粋したものである。
【００１６】
電池モジュールＢＭは、複数の電池セルＢＣを備える。その電池セルＢＣは、セル本体ＢＣ１と、２つの電極端子ＢＣ２と、を備える（図１０）。それぞれの電極端子ＢＣ２は、外方に露出させた状態でセル本体ＢＣ１の何れかの場所に各々設けたものであって、一方が正極となり、他方が負極となる。それぞれの電極端子ＢＣ２は、例えば、セル本体ＢＣ１の外壁面に設けた板状のものであったり、セル本体ＢＣ１の外壁面から突出させた柱状の極柱であったりする。また、それぞれの電極端子ＢＣ２は、セル本体ＢＣ１が複数の外壁面を有する場合、その内の１つの外壁面に各々配置してもよく、それぞれ別の外壁面に配置してもよい。
【００１７】
電池モジュールＢＭにおいては、その正負それぞれの電極端子ＢＣ２を有する複数の電池セルＢＣが一方向に配列されている。この電池モジュールＢＭにおいては、それぞれの電池セルＢＣの一方の電極端子ＢＣ２と他方の電極端子ＢＣ２とが各々一列に並べられた状態で、それぞれの電池セルＢＣが配列されている。このため、この電池モジュールＢＭでは、一列に並べられた複数の電極端子ＢＣ２から成る電極端子群ＢＣ５が２箇所に設けられている（図１０）。以下においては、特段の言及が無く「配列方向」と記した場合、その複数の電池セルＢＣの配列方向や電極端子群ＢＣ５毎の複数の電極端子ＢＣ２の配列方向のことを示すものとする。
【００１８】
それぞれの電極端子ＢＣ２には、導電性の端子接続部品４０（図１から図９）が電気接続される。その端子接続部品４０としては、電極端子群ＢＣ５におけるそれぞれの電極端子ＢＣ２の内の配列方向で隣り合うもの同士を電気接続させる端子接続部品４０Ａ（図１から図９）と、電池モジュールＢＭの所謂総正極及び総負極の内の何れか一方となる電極端子ＢＣ２に電気接続させる端子接続部品４０Ｂ（図１、図２及び図９）と、電池モジュールＢＭの所謂総正極及び総負極の内の何れか他方となる電極端子ＢＣ２に電気接続させる端子接続部品４０Ｃ（図１、図２及び図９）と、が設けられている。電池モジュールＢＭにおいては、それぞれの電極端子群ＢＣ５にて、それぞれの電極端子ＢＣ２の内の配列方向で隣り合うもの同士が端子接続部品４０Ａで電気接続されることによって、それぞれの電池セルＢＣが直列又は並列に繋がれる。また、この電池モジュールＢＭにおいては、その端子接続部品４０Ａで連結されない電極端子ＢＣ２が２つ存在しており、その内の一方が総正極となり、その内の他方が総負極となる。
【００１９】
端子接続部品４０（４０Ａ，４０Ｂ，４０Ｃ）は、金属等の導電性材料で成形されている。この例示の端子接続部品４０は、金属板を母材にして成形された所謂バスバであり、略矩形の平板状の主体４１を有している（図３、図４及び図１１）。この端子接続部品４０においては、その主体４１を電極端子ＢＣ２に対して物理的且つ電気的に接続させる。例えば、電極端子ＢＣ２が先に示した板状の場合には、電極端子ＢＣ２に対して主体４１を溶接（レーザ溶接等）する。この場合、端子接続部品４０Ａについては、配列方向で隣り合うそれぞれの電極端子ＢＣ２に対して主体４１を溶接する。また、電極端子ＢＣ２が先に示した極柱の場合には、その極柱そのものが雄螺子部を有しており、かつ、その電極端子ＢＣ２を挿通させる貫通孔が主体４１に形成されている。この場合には、その貫通孔に挿通させた電極端子ＢＣ２の雄螺子部に雌螺子部材を螺合させることによって、その電極端子ＢＣ２に主体４１を螺子止め固定する。この場合、端子接続部品４０Ａについては、配列方向で隣り合うそれぞれの電極端子ＢＣ２を各々に対応させた主体４１の貫通孔に挿通させ、それぞれの電極端子ＢＣ２の雄螺子部毎に雌螺子部材を螺合させることによって、それぞれの電極端子ＢＣ２に主体４１を螺子止め固定する。
【００２０】
電池モジュールＢＭにおいては、一方の電極端子群ＢＣ５において、複数の端子接続部品４０Ａと端子接続部品４０Ｂとが配列方向に沿って配列され、他方の電極端子群ＢＣ５において、複数の端子接続部品４０Ａと端子接続部品４０Ｃとが配列方向に沿って配列される。
【００２１】
例えば、本実施形態の電池セルＢＣは、セル本体ＢＣ１が方体を成している（図１０）。故に、本実施形態の電池モジュールＢＭは、それぞれの電池セルＢＣによって仮想的に方体を成しており、複数の電池セルＢＣから成る集合体の６つの壁面を有している。また、本実施形態の電池セルＢＣは、そのセル本体ＢＣ１の１つの外壁面に２枚の板状の電極端子ＢＣ２を備えている（図１０）。故に、本実施形態の電池モジュールＢＭにおいては、方体を成す６つの壁面の内の１つに２つの電極端子群ＢＣ５が設けられ、電極端子ＢＣ２に対して端子接続部品４０（４０Ａ，４０Ｂ，４０Ｃ）が溶接される。例えば、この電池モジュールＢＭは、車両において、それぞれの電極端子ＢＣ２が車両上方を向くように搭載される。
【００２２】
導電モジュール１は、そのように構成されている電池モジュールＢＭに組み付けて、それぞれの電池セルＢＣに対して電気接続させる。この導電モジュール１は、複数本の電線１０と、それぞれの電線１０の収容を担う第１収容体２０及び第２収容体３０と、を備える（図１から図９）。その第１収容体２０と第２収容体３０は、各々、別部品として成形される。導電モジュール１は、先に示した導電性の端子接続部品４０（４０Ａ，４０Ｂ，４０Ｃ）を自らの構成部品として備えるものであってもよい。また、この導電モジュール１は、端子接続部品４０（４０Ａ，４０Ｂ，４０Ｃ）が電池モジュールＢＭの構成部品となる場合、その端子接続部品４０（４０Ａ，４０Ｂ，４０Ｃ）を自らの構成部品として備えぬものであってもよい。この例示では、端子接続部品４０（４０Ａ，４０Ｂ，４０Ｃ）についても導電モジュール１の構成部品とする（図１から図９）。このため、この例示の導電モジュール１は、端子接続部品４０（４０Ａ，４０Ｂ，４０Ｃ）の収容を担う第３収容体５０を備える（図１から図９）。また、この導電モジュール１は、互いに組み付けた第１収容体２０と第２収容体３０とをその組付け状態のまま保持する第１保持機構６０Ａと第２保持機構６０Ｂを備えている（図３から図７）。
【００２３】
導電モジュール１は、電極端子群ＢＣ５毎に１つずつ用意されるものであってもよい。つまり、一方の導電モジュール１には、一方の電極端子群ＢＣ５用の複数本の電線１０と第１収容体２０と第２収容体３０と端子接続部品４０（４０Ａ，４０Ｂ）と第３収容体５０と第１保持機構６０Ａと第２保持機構６０Ｂとが設けられている。そして、他方の導電モジュール１には、他方の電極端子群ＢＣ５用の複数本の電線１０と第１収容体２０と第２収容体３０と端子接続部品４０（４０Ａ，４０Ｃ）と第３収容体５０と第１保持機構６０Ａと第２保持機構６０Ｂとが設けられている。この導電モジュール１は、少なくとも第１収容体２０と第２収容体３０とが各々別の部品（第１収容部品、第２収容部品）として成形され、その第１収容体２０と第２収容体３０とが第１保持機構６０Ａと第２保持機構６０Ｂを介して組み付けられたものであればよい。この場合の導電モジュール１は、例えば、第１収容体２０と第２収容体３０と第３収容体５０とが各々別の部品（第１収容部品、第２収容部品、第３収容部品）として成形され、その内の第１収容体２０と第２収容体３０とが第１保持機構６０Ａと第２保持機構６０Ｂを介して組み付けられたものであってもよく、第２収容体３０及び第３収容体５０が１つの収容部品（第２収容部品）として一体になって成形され、その第２収容部品の第２収容体３０に第１保持機構６０Ａと第２保持機構６０Ｂを介して別部品（第１収容部品）としての第１収容体２０が組み付けられたものであってもよい。
【００２４】
また、導電モジュール１は、双方の電極端子群ＢＣ５用として１つ用意されるものであってもよい。つまり、この導電モジュール１は、一方の電極端子群ＢＣ５用の電線１０、第１収容体２０、第２収容体３０、端子接続部品４０（４０Ａ，４０Ｂ）、第３収容体５０、第１保持機構６０Ａ及び第２保持機構６０Ｂと、他方の電極端子群ＢＣ５用の電線１０、第１収容体２０、第２収容体３０、端子接続部品４０（４０Ａ，４０Ｃ）、第３収容体５０、第１保持機構６０Ａ及び第２保持機構６０Ｂと、を備えるものであってもよい。この導電モジュール１は、少なくとも第１収容体２０と第２収容体３０とが各々別の部品（第１収容部品、第２収容部品）として成形され、その第１収容体２０と第２収容体３０とが電極端子群ＢＣ５毎に第１保持機構６０Ａと第２保持機構６０Ｂを介して組み付けられたものであればよい。この場合の導電モジュール１は、例えば、電極端子群ＢＣ５毎の第１収容体２０と第２収容体３０と第３収容体５０とが各々別部品として（第１収容部品、第２収容部品、第３収容部品）として成形され、その内の第１収容体２０と第２収容体３０とが電極端子群ＢＣ５毎に第１保持機構６０Ａと第２保持機構６０Ｂを介して組み付けられたものであってもよい。また、この場合の導電モジュール１は、例えば、電極端子群ＢＣ５毎に１つの収容部品（第１収容部品）として成形された第１収容体２０と、双方の電極端子群ＢＣ５用の第２収容体３０が一体になって成形された別の収容部品（第２収容部品）と、双方の電極端子群ＢＣ５用の第３収容体５０が一体になって成形された別の収容部品（第３収容部品）と、を備え、その第２収容部品のそれぞれの第２収容体３０に第１保持機構６０Ａと第２保持機構６０Ｂを介して別部品（第１収容部品）としての第１収容体２０が各々組み付けられたものであってもよい。また、この場合の導電モジュール１は、例えば、双方の電極端子群ＢＣ５用の第２収容体３０及び第３収容体５０が１つの収容部品（第２収容部品）として一体になって成形され、その第２収容部品のそれぞれの第２収容体３０に第１保持機構６０Ａと第２保持機構６０Ｂを介して別部品（第１収容部品）としての第１収容体２０が各々組み付けられたものであってもよい。
【００２５】
この例示の導電モジュール１は、第１収容体２０を有する電極端子群ＢＣ５毎の第１収容部品１Ａと、双方の電極端子群ＢＣ５用の全ての第２収容体３０が一体になって成形された第２収容部品１Ｂと、双方の電極端子群ＢＣ５用の全ての第３収容体５０が一体になって成形された別の第３収容部品１Ｃと、を備えるものとして構成している（図１から図９）。この導電モジュール１においては、それぞれの第１収容部品１Ａが第２収容部品１Ｂのそれぞれの第２収容体３０にを介して各々組み付けられる。また、第２収容部品１Ｂと第３収容部品１Ｃは、保持機構（図示略）等を介して互いに組み付けられて固定される。
【００２６】
以下においては、図示及び説明の便宜上、必要に応じて、一方の電極端子群ＢＣ５の一部分に着目して説明を行う。
【００２７】
ここで示す電線１０は、導電性の芯線が絶縁性の被覆で覆われたものであり、屈曲させ得るよう柔軟性を持たせている。この電線１０は、先に示した導電性の端子接続部品４０（４０Ａ，４０Ｂ，４０Ｃ）毎に設け、電極端子群ＢＣ５毎に配列方向に沿って配策させる。
【００２８】
また、この電線１０は、端子接続部品４０（４０Ａ，４０Ｂ，４０Ｃ）の電線接続部４２に対して一方の端末を電気的に接続させる（図３から図５）。例えば、この電線１０は、その電線接続部４２に対して、一方の端末を半田付け等で直接的に電気接続させてもよく、一方の端末に設けた端子金具１５を介して間接的に電気接続させてもよい。この例示では、一方の端末に加締め等で圧着固定した端子金具１５を介在させている（図２及び図５から図７）。
【００２９】
その電線接続部４２は、端子接続部品４０（４０Ａ，４０Ｂ，４０Ｃ）の主体４１から突出させている。この例示の電線接続部４２は、主体４１の１つの辺部の一部から、この主体４１の平面に沿って当該主体４１から離れる方向で、かつ、その平面に対する交差方向に向けて突出させている。ここでは、２つの矩形の平板状の片部４２ａ，４２ｂから成るＬ字状に電線接続部４２を形成している（図１１）。その電線接続部４２は、主体４１の辺部の一部から当該主体４１の平面に対する直交方向に向けて突出させた一方の片部４２ａと、その一方の片部４２ａの突出方向側の端部から主体４１の平面に沿って当該主体４１から離れる方向に向けて突出させた他方の片部４２ｂと、を有する。この例示の電線接続部４２においては、その他方の片部４２ｂに貫通孔４３が形成されている（図３及び図１１）。端子接続部品４０（４０Ａ，４０Ｂ，４０Ｃ）は、第３収容体５０に収容された際に、その第３収容体５０に設けたスタッドボルト７１を貫通孔４３に挿通させる（図３及び図４）。
【００３０】
端子金具１５は、矩形の平板状の電気接続部１５ａに貫通孔１５ｂを有している（図５）。この端子金具１５においては、その貫通孔１５ｂにスタッドボルト７１を挿通させることによって、電気接続部１５ａの平面を端子接続部品４０（４０Ａ，４０Ｂ，４０Ｃ）の他方の片部４２ｂの平面に接触させる。この端子金具１５は、そのスタッドボルト７１に雌螺子部材７２を螺合させ、電気接続部１５ａを他方の片部４２ｂに螺子止め固定させることによって、端子接続部品４０（４０Ａ，４０Ｂ，４０Ｃ）に電気接続される。これにより、この導電モジュール１においては、電線１０が端子接続部品４０（４０Ａ，４０Ｂ，４０Ｃ）に電気接続される（図５から図７）。
【００３１】
この例示の導電モジュール１は、第１収容体２０と第２収容体３０とを電極端子群ＢＣ５毎に備える。第１収容体２０と第２収容体３０は、合成樹脂等の絶縁性材料で成形する。第１収容体２０は、一方又は他方の電極端子群ＢＣ５用のそれぞれの電線１０を配列方向に沿わせて収容させる収容体である。第２収容体３０は、一方又は他方の電極端子群ＢＣ５用のそれぞれの端子接続部品４０の電線接続部４２とそれぞれの電線１０の一方の端末とを収容させる収容体である。この第１収容体２０と第２収容体３０は、後述する電線収容室２０ａの底壁（主ガイド壁２１）と接続作業口３０ｂとを重ね合わせて積層される。第１保持機構６０Ａと第２保持機構６０Ｂは、この第１収容体２０と第２収容体３０を積層状態のまま保つために設けられている。以下においては、特段の言及が無く「積層方向」と記した場合、その積層状態での第１収容体２０と第２収容体３０の積層方向のことを示すものとする。
【００３２】
第１収容体２０は、配列方向に沿って延在させる。この第１収容体２０には、それぞれの電線１０を収容する電線収容室２０ａと、それぞれの電線１０を電線収容室２０ａに収容させる際の挿入口２０ｂと、が形成されている（図３から図７及び図１２）。
【００３３】
この第１収容体２０は、挿入口２０ｂに対向配置され、収容されたそれぞれの電線１０を配列方向に沿って案内する底壁としての主ガイド壁２１を有する（図３、図４及び図１２）。その主ガイド壁２１は、矩形の平板状に形成し、配列方向に沿って延在させる。また、この第１収容体２０は、その主ガイド壁２１における配列方向に対する直交方向の一端から立設させ、その立設方向側の端部を挿入口２０ｂの周縁部とし、収容されたそれぞれの電線１０を配列方向に沿って案内する第１側壁としての第１副ガイド壁２２を有する（図３、図４及び図１２）。また、この第１収容体２０は、その主ガイド壁２１における配列方向に対する直交方向の他端から立設させ、その立設方向側の端部を挿入口２０ｂの周縁部とし、収容されたそれぞれの電線１０を配列方向に沿って案内する第２側壁としての第２副ガイド壁２３を有する（図３、図４及び図１２）。この第１収容体２０においては、その主ガイド壁２１と第１副ガイド壁２２と第２副ガイド壁２３とで囲まれた空間を電線収容室２０ａとして利用する。この第１収容体２０において、主ガイド壁２１は、電線収容室２０ａの底壁であり、その電線収容室２０ａの室内外を間仕切りする底壁となる。また、第１副ガイド壁２２は、電線収容室２０ａの第１側壁であり、その電線収容室２０ａの室内外を間仕切りする第１主側壁となる。また、第２副ガイド壁２３は、その電線収容室２０ａの第２側壁であり、電線収容室２０ａの室内外を間仕切りする第２主側壁となる。
【００３４】
この第１収容体２０は、電線収容室２０ａに収容された電線１０を電線収容室２０ａに止めることが可能な電線係止部２４を有する（図３から図８及び図１２）。この電線係止部２４は、第１収容体２０の挿入口２０ｂ側に配置する。
【００３５】
この電線係止部２４は、第２収容体３０の後述する接続部収容室３０ａ毎に設けてもよく、挿入口２０ｂの全体を塞ぐことが可能なものとして設けてもよい。また、この電線係止部２４は、第１副ガイド壁２２又は第２副ガイド壁２３に一体になって成形されたものであってもよく、第１収容体２０とは別の部品として用意してもよい。この例示では、接続部収容室３０ａ毎に電線係止部２４を設けている。また、この例示の電線係止部２４は、矩形の平板状で、かつ、第２副ガイド壁２３における立設方向側の端部を固定端とした片持ち形状に形成する。更に、この電線係止部２４は、挿入口２０ｂから電線収容室２０ａへの電線１０の収容作業が可能な収容作業位置（図５から図６）と、その電線収容室２０ａに収容された電線１０を電線収容室２０ａに止めることが可能な電線係止位置（図７及び図８）と、の間で挿入口２０ｂに対して変位させるものとして形成する。この例示の電線係止部２４は、その固定端側にヒンジ部２４ａを設け、そのヒンジ部２４ａを回動支点とした挿入口２０ｂに対する収容作業位置と電線係止位置との間での相対回転が行えるものとして形成する（図６及び図７）。例えば、ヒンジ部２４ａとしては、所謂リビングヒンジを設ければよい。
【００３６】
第１収容体２０は、この電線係止部２４を電線係止位置のまま保持させる保持機構２５を備える（図６及び図１２）。その保持機構２５は、電線係止部２４の自由端側に設けた第１係止体２５ａ（図６及び図１２）と、第１副ガイド壁２２に設け、第１係止体２５ａに係止させることによって電線係止部２４を電線係止位置に保つ第２係止体２５ｂ（図１２）と、を備える。
【００３７】
例えば、この保持機構２５は、第１係止体２５ａと第２係止体２５ｂの内の少なくとも一方が爪部を有し、その爪部を電線係止部２４が係止位置で保たれるよう相手方に係止させるものとして構成する。この例示では、爪部２５ａ１を第１係止体２５ａに設けている（図１２）。一方、第２係止体２５ｂは、第１副ガイド壁２２に貫通孔又は切欠きとして形成し、電線係止部２４が電線係止位置のときに電線収容室２０ａ側から爪部２５ａ１を挿入させることによって、電線係止部２４が電線係止位置で保たれるように貫通孔又は切欠きの周壁で爪部２５ａ１を係止させる（図１２）。
【００３８】
この例示の第１係止体２５ａは、電線係止部２４の自由端から垂設させた矩形の平板状で且つ片持ち形状の片部２５ａ２を有しており、この片部２５ａ２の自由端に爪部２５ａ１を設けている（図１２）。片部２５ａ２は、電線係止部２４が電線係止位置のときに、その外側の壁面を第１副ガイド壁２２における電線収容室２０ａ側の内壁面に対向配置させる。よって、爪部２５ａ１は、その片部２５ａ２における外側の壁面（第１副ガイド壁２２の内壁面に対向配置される壁面）から突出させる。
【００３９】
第１副ガイド壁２２の内壁面には、電線係止部２４が電線係止位置のときに第１係止体２５ａを収容する収容体２５ｃが設けられている（図６及び図１２）。その収容体２５ｃは、電線収容室２０ａに収容された電線１０と電線係止部２４が電線係止位置のときの第１係止体２５ａとの接触を防ぐために設けられた部位であり、その電線１０の保護機能を為している。この例示では、角筒状を成すように収容体２５ｃが形成されている。
【００４０】
第２収容体３０は、それぞれの端子接続部品４０の電線接続部４２とそれぞれの電線１０の一方の端末とを収容する接続部収容室３０ａと、それぞれの電線接続部４２とそれぞれの電線１０の一方の端末とを電気接続させる際の接続作業口３０ｂと、が形成されている（図３から図７）。
【００４１】
この第２収容体３０は、接続作業口３０ｂに対向配置された底壁としての主壁３１を有する（図３及び図４）。その主壁３１は、矩形の平板状に形成し、配列方向に沿って延在させる。また、この第２収容体３０は、その主壁３１における配列方向に対する直交方向の一端から立設させ、その立設方向側の端部を接続作業口３０ｂの周縁部とする第１側壁３２を有する（図３及び図４）。また、この第２収容体３０は、その主壁３１における配列方向に対する直交方向の他端から立設させ、その立設方向側の端部を接続作業口３０ｂの周縁部とする第２側壁３３を有する（図３及び図４）。
【００４２】
例えば、この第２収容体３０において、接続部収容室３０ａは、電線接続部４２と電線１０の一方の端末との接続部分毎に設けてもよく、全ての接続部分の収容が可能な１つの部屋として設けてもよい。また、接続作業口３０ｂは、電線接続部４２と電線１０の一方の端末との接続部分毎に接続部収容室３０ａを設ける場合、その接続部分毎に設け、全ての接続部分の収容が可能なものとして接続部収容室３０ａを設ける場合、全ての接続部分に対する接続作業が可能な作業口として設ける。
【００４３】
この例示では、接続部収容室３０ａと接続作業口３０ｂとを接続部分毎に設けている。そこで、この例示の第２収容体３０は、接続部収容室３０ａと接続作業口３０ｂとを接続部分毎に配列方向に沿って区画する複数の間仕切り壁３４を有している（図３及び図４）。この例示では、主壁３１をそれぞれの接続作業口３０ｂに対向配置させるべく、その主壁３１からそれぞれの間仕切り壁３４を第１側壁３２や第２側壁３３と同じ向きに立設させている。この第２収容体３０においては、主壁３１と第１側壁３２と第２側壁３３と対向配置状態の２つの間仕切り壁３４とで囲まれた空間が接続部収容室３０ａとして利用される。この第２収容体３０において、主壁３１は、接続部収容室３０ａの底壁であり、その接続部収容室３０ａの室内外を間仕切りする底壁となる。また、第１側壁３２は、接続部収容室３０ａの第１側壁であり、その接続部収容室３０ａの室内外を間仕切りする第１主側壁となる。また、第２側壁３３は、接続部収容室３０ａの第２側壁であり、その接続部収容室３０ａの室内外を間仕切りする第２主側壁となる。また、それぞれの間仕切り壁３４は、各々、接続部収容室３０ａの第３側壁及び第４側壁であり、配列方向で隣り合う２つの接続部収容室３０ａを間仕切りする第１副側壁及び第２副側壁となる。この第２収容体３０においては、第１側壁３２と第２側壁３３と対向配置状態の２つの間仕切り壁３４のそれぞれの立設方向側の端部が接続作業口３０ｂの周縁部として利用される。
【００４４】
この第２収容体３０においては、接続作業口３０ｂが、電線１０の一方の端末を接続部収容室３０ａに収容させる際の挿入口を兼ねている。その接続作業口３０ｂは、電線接続部４２を接続部収容室３０ａに収容させる際の挿入口を兼ねるものであってもよい。しかしながら、この例示の第２収容体３０においては、電線接続部４２を挿入するための挿入口３０ｃを主壁３１に設けている（図３及び図４）。この第２収容体３０においては、その挿入口３０ｃから挿入された電線接続部４２の他方の片部４２ｂを主壁３１の内壁面から突出させ、かつ、その他方の片部４２ｂの貫通孔４３に挿通されたスタッドボルト７１を接続部収容室３０ａに収容させる。
【００４５】
第２収容部品１Ｂは、双方の電極端子群ＢＣ５の第２収容体３０における延在方向の一端同士と他端同士を各々連結体１ａで繋いでいる（図１）。つまり、この第２収容部品１Ｂは、電極端子群ＢＣ５毎の第２収容体３０とそれぞれの連結体１ａとが合成樹脂等の絶縁性材料で一体になって成形されたものである。
【００４６】
ところで、この導電モジュール１において、第１収容体２０と第２収容体３０は、主ガイド壁２１（電線収容室２０ａの底壁）と接続作業口３０ｂとを重ね合わせて積層されることで、互いの組付けを完了させる。その積層状態では、第１副ガイド壁２２（電線収容室２０ａの第１側壁）を接続部収容室３０ａの第２側壁３３に積層させ、かつ、第２副ガイド壁２３（電線収容室２０ａの第２側壁）を接続部収容室３０ａの第１側壁３２に積層させる。
【００４７】
また、この導電モジュール１においては、第１収容体２０と第２収容体３０とが積層される前に、それぞれの電線１０を電線収容室２０ａと接続部収容室３０ａに収容させる。第１収容体２０と第２収容体３０は、その電線１０の収容を行う際に、挿入口２０ｂと接続作業口３０ｂとが同じ向きに開口され、かつ、配列方向と積層方向とに対する直交方向で第１副ガイド壁２２と第１側壁３２又は第２副ガイド壁２３と第２側壁３３が対向された状態に配置させる（図５）。この導電モジュール１においては、そのような第１収容体２０と第２収容体３０の配置が、挿入口２０ｂからのそれぞれの電線１０の電線収容室２０ａへの収容作業が可能で、かつ、それぞれの端子接続部品４０の電線接続部４２とそれぞれの電線１０の一方の端末の接続作業口３０ｂからの電気接続作業が可能な位置（作業位置）となる。
【００４８】
電線１０は、作業位置で、挿入口２０ｂから電線収容室２０ａに収容され、かつ、一方の端末が接続作業口３０ｂから接続部収容室３０ａに収容される。その収容順序は、どちらが先でも後でもよい。この例示では、電線１０の一方の端末を接続部収容室３０ａに収容にする際に、その一方の端末に取り付けられている端子金具１５が電線収容室２０ａに収容されながら、その端子金具１５の貫通孔１５ｂにスタッドボルト７１が差し込まれていく。
【００４９】
ここで、第１収容体２０は、電線収容室２０ａと接続部収容室３０ａとの間で電線１０を案内可能な第１ガイド部２６を有している（図３から図８及び図１２）。また、第２収容体３０は、接続部収容室３０ａと電線収容室２０ａとの間で電線１０を案内可能な第２ガイド部３６を有している（図３から図８）。その第１ガイド部２６と第２ガイド部３６は、電線１０毎（つまり、この例示では接続部収容室３０ａ毎）に設けられている。
【００５０】
第１ガイド部２６は、主ガイド壁２１（電線収容室２０ａの底壁）に設け、第１収容体２０と第２収容体３０とが積層状態のときに電線収容室２０ａと接続部収容室３０ａとを連通させる第１電線ガイド部２６ａを有する（図３から図８、図１２及び図１３）。また、この第１ガイド部２６は、その第１電線ガイド部２６ａに連接させるべく、第１副ガイド壁２２（電線収容室２０ａの第１側壁）及び第２副ガイド壁２３（電線収容室２０ａの第２側壁）の内の一方に設けた第２電線ガイド部２６ｂを有する（図３から図８、図１２及び図１３）。
【００５１】
この第１ガイド部２６は、例えば、貫通孔形状又は切欠き形状に形成する。この例示の第１ガイド部２６は、第２電線ガイド部２６ｂを挿入口２０ｂにも連接させ、主ガイド壁２１（電線収容室２０ａの底壁）と第１副ガイド壁２２（電線収容室２０ａの第１側壁）及び第２副ガイド壁２３（電線収容室２０ａの第２側壁）の内の一方とを挿入口２０ｂ側から切り欠いた切欠き形状に形成している。
【００５２】
一方、第２ガイド部３６は、接続作業口３０ｂに連接させ且つ第１収容体２０と第２収容体３０とが積層状態のときに第１電線ガイド部２６ａに隣設させるべく、その積層状態のときに第１副ガイド壁２２（電線収容室２０ａの第１側壁）及び第２副ガイド壁２３（電線収容室２０ａの第２側壁）の内の他方が積層される接続部収容室３０ａの側壁に設ける（図３から図８）。この第２ガイド部３６は、接続作業口３０ｂ側から切り欠いた切欠き形状に形成する。
【００５３】
この例示の作業位置での第１収容体２０と第２収容体３０は、配列方向と積層方向とに対する直交方向で第１副ガイド壁２２と第１側壁３２とを対向配置させる（図５及び図６）。よって、この例示では、第１ガイド部２６の第２電線ガイド部２６ｂを第１副ガイド壁２２（電線収容室２０ａの第１側壁）に設け、第２ガイド部３６を接続部収容室３０ａの第１側壁３２に設ける。その第１ガイド部２６の第２電線ガイド部２６ｂと第２ガイド部３６は、第１収容体２０と第２収容体３０が作業位置のときに、配列方向と積層方向とに対する直交方向で対向配置させる。ここでは、第１電線ガイド部２６ａと第２電線ガイド部２６ｂと第２ガイド部３６を各々矩形に形成している。尚、その作業位置での第１副ガイド壁２２と第１側壁３２との対向配置は、第２収容体３０が電池モジュールＢＭに組み付けられている状態において、第２収容体３０よりも外側に第１収容体２０が配置されているときに成立させるものであってもよく、第２収容体３０よりも内側に第１収容体２０が配置されているときに成立させるものであってもよい。
【００５４】
この作業位置での第１収容体２０と第２収容体３０においては、電線１０の収容を終えたときに、第１ガイド部２６の第２電線ガイド部２６ｂと第２ガイド部３６を介して、電線１０が電線収容室２０ａと接続部収容室３０ａとの間で案内されている（図７）。この作業位置では、全ての電線１０が電線１０毎に同様の形態で配策されている。また、この作業位置の第２収容体３０においては、電線１０と端子接続部品４０（４０Ａ，４０Ｂ，４０Ｃ）の電線接続部４２との電気接続作業が電線１０毎に接続作業口３０ｂから実施される。また、電線係止部２４は、この作業位置で収容作業位置から電線係止位置に変位させてもよく、第１収容体２０と第２収容体３０とを積層させた後で収容作業位置から電線係止位置に変位させてもよい。
【００５５】
この導電モジュール１においては、作業位置での作業を終えた後、第１収容体２０を持ち上げて、第２収容体３０に積層させる。その際に、電線１０においては、第２電線ガイド部２６ｂに挿通させられている部分が第１電線ガイド部２６ａに移動し、第２ガイド部３６に挿通させられている部分が第２ガイド部３６から抜け出る。第１収容体２０と第２収容体３０が積層状態のときには、電線１０が第１電線ガイド部２６ａと接続作業口３０ｂを介して電線収容室２０ａと接続部収容室３０ａとの間で案内される（図８）。
【００５６】
この導電モジュール１においては、先に示したように、第１保持機構６０Ａと第２保持機構６０Ｂによって、主ガイド壁２１（電線収容室２０ａの底壁）と接続作業口３０ｂとを重ね合わせて積層された第１収容体２０と第２収容体３０が積層状態に保たれる。その第１保持機構６０Ａと第２保持機構６０Ｂは、かかる保持機能を為すものであれば、この技術分野で周知の如何様なものを用いてもよい。例えば、第１保持機構６０Ａや第２保持機構６０Ｂとしては、ロック機構、結束バンドによる固定構造、貫通孔と当該貫通孔に嵌合される固定ピンとによる固定構造、螺子締結構造等が考えられる。
【００５７】
具体的に、ここで示す第１保持機構６０Ａは、主ガイド壁２１の外壁面に設けた第１係止体６１（図１２及び図１３）と、第１側壁３２に設け、第１収容体２０と第２収容体３０とが積層状態のときに第１係止体６１に係止させることによってその積層状態を保つ第２係止体６２と、を備える（図３から図７）。その対となる第１係止体６１と第２係止体６２は、複数箇所に設けている。
【００５８】
例えば、第１係止体６１と第２係止体６２は、その内の少なくとも一方が爪部を有し、その爪部を第１収容体２０と第２収容体３０とが積層状態のまま保たれるよう相手方に係止させるものとして構成する。この例示では、爪部６１ａを第１係止体６１に設けている（図１３）。その第１係止体６１は、主ガイド壁２１の外壁面から当該外壁面に対する直交方向に突出させた片持ち形状の片部６１ｂを有しており、この片部６１ｂの自由端に爪部６１ａを設けている（図１３）。一方、第２係止体６２は、第１側壁３２の内壁面に、第１収容体２０と第２収容体３０とが積層状態のときに片部６１ｂを収容する収容体として形成されている（図３から図７）。この例示では、角筒状を成すように第２係止体６２が形成されている。爪部６１ａは、片部６１ｂと共に第２係止体６２の内方に挿入されていき、第１収容体２０と第２収容体３０とが積層状態となったときに第２係止体６２の外方に飛び出して、その第２係止体６２の筒軸方向における端面に係止される。
【００５９】
また、ここで示す第２保持機構６０Ｂは、主ガイド壁２１の外壁面に設けた第１係止体６５と、第２側壁３３に設け、第１収容体２０と第２収容体３０とが積層状態のときに第１係止体６５に係止させることによってその積層状態を保つ第２係止体６６と、を備える（図３から図８）。その対となる第１係止体６５と第２係止体６６は、複数箇所に設けている。
【００６０】
例えば、第１係止体６５と第２係止体６６は、その内の少なくとも一方が爪部を有し、その爪部を第１収容体２０と第２収容体３０とが積層状態のまま保たれるよう相手方に係止させるものとして構成する。この例示では、爪部６５ａを第１係止体６５に設けている（図６、図７及び図１３）。その第１係止体６５は、主ガイド壁２１の外壁面から当該外壁面に対する直交方向に突出させた片持ち形状の片部６５ｂを有しており、この片部６５ｂの自由端に爪部６５ａを設けている（図６、図７及び図１３）。一方、第２係止体６６は、第２側壁３３に貫通孔又は切欠きとして形成し、第１収容体２０と第２収容体３０とが積層状態となったときに接続部収容室３０ａ側から爪部６５ａを挿入させることによって、第１収容体２０と第２収容体３０とが積層状態のまま保たれるように貫通孔又は切欠きの周壁で爪部６５ａを係止させる（図３から図８）。
【００６１】
この導電モジュール１においては、電極端子群ＢＣ５毎のそれぞれの電線１０の他方の端末がコネクタＣＯＮＮ１に繋がれており、そのコネクタＣＯＮＮ１を介してそれぞれの電線１０を電気接続対象物のコネクタＣＯＮＮ２に電気接続させる（図９）。その電気接続対象物としては、例えば、それぞれの電池セルＢＣの電池状態（電圧、電流、温度等）を監視するための電池監視ユニットが考えられる。この例示の導電モジュール１は、それぞれの電線１０を介してそれぞれの電池セルＢＣを電池監視ユニットＵｂに電気接続させる（図１、図２及び図９）。
【００６２】
この例示の導電モジュール１は、第３収容体５０を電極端子群ＢＣ５毎に備える。第３収容体５０は、合成樹脂等の絶縁性材料で成形する。この第３収容体５０は、配列方向に延在させ、端子接続部品４０｛（４０Ａ，４０Ｂ（又は４０Ｃ）｝が収容される収容室５１を端子接続部品４０｛（４０Ａ，４０Ｂ（又は４０Ｃ）｝毎に有している（図３及び図４）。その収容室５１には、端子接続部品４０｛（４０Ａ，４０Ｂ（又は４０Ｃ）｝の主体４１が収容される。この収容室５１には、第３収容体５０を電池モジュールＢＭに組み付けた際に電極端子ＢＣ２を収容室５１に収容させる貫通孔５２が形成されている（図３）。これにより、端子接続部品４０｛（４０Ａ，４０Ｂ（又は４０Ｃ）｝は、主体４１を収容室５１に収容させることで、この主体４１を電極端子ＢＣ２に接触させ且つ溶接させることができる。第２収容体３０は、その収容室５１に収容された主体４１に積層させぬよう第３収容体５０に保持機構等を介して組み付ける。
【００６３】
この例示の第３収容部品１Ｃは、その電極端子群ＢＣ５毎の第３収容体５０を連結体１ｂで繋いでいる（図１）。つまり、この第３収容部品１Ｃは、電極端子群ＢＣ５毎の第３収容体５０と連結体１ｂとが合成樹脂等の絶縁性材料で一体になって成形されたものである。この例示では、その連結体１ｂが電池監視ユニットＵｂの収容室として利用される。
【００６４】
尚、この導電モジュール１には、それぞれの第１収容体２０の挿入口２０ｂを覆い隠すことが可能なカバーＣＶ１が設けられている（図９）。また、この導電モジュール１には、それぞれの電極端子群ＢＣ５における端子接続部品４０（４０Ａ，４０Ｂ，４０Ｃ）の主体４１と、電池監視ユニットＵｂと、コネクタＣＯＮＮ１，ＣＯＮＮ２と、を覆い隠すことが可能なカバーＣＶ２が設けられている（図９）。
【００６５】
以上示した本実施形態の導電モジュール１においては、挿入口２０ｂと接続作業口３０ｂとを露出させた作業位置で、挿入口２０ｂからそれぞれの電線１０を電線収容室２０ａに収容し、かつ、その電線１０毎に接続作業口３０ｂから一方の端末を接続部収容室３０ａに収容して、電線１０と端子接続部品４０（４０Ａ，４０Ｂ，４０Ｃ）の電線接続部４２との電気接続作業を接続作業口３０ｂから実施することができる。この例示の導電モジュール１においては、その際に、電線１０毎に、電線１０の一方の端末を接続作業口３０ｂから端子金具１５と共に接続部収容室３０ａに収容しながら、その接続部収容室３０ａの室内に突出させているスタッドボルト７１を端子金具１５の貫通孔１５ｂに挿通させる。また、この例示の導電モジュール１においては、その際に、それぞれの電線１０を第１ガイド部２６と第２ガイド部３６とを介して電線収容室２０ａと接続部収容室３０ａとの間に渡って配策する。そして、この例示の導電モジュール１においては、電線１０毎に、そのスタッドボルト７１に接続作業口３０ｂから雌螺子部材７２を螺合し、端子金具１５の電気接続部１５ａと端子接続部品４０（４０Ａ，４０Ｂ，４０Ｃ）の電線接続部４２とを螺子止め固定することによって、電線１０と電線接続部４２とが電気的に接続される。
【００６６】
また、この導電モジュール１においては、それぞれの電線１０を電線収容室２０ａに収容にした後、又は、それぞれの電線１０とそれぞれの電線接続部４２との電気接続作業を終えた後、ヒンジ部２４ａを回動支点にして収容作業位置の電線係止部２４を電線係止位置まで回動させ、電線接続部４２と電線１０の一方の端末との接続部分を挿入口２０ｂ側から塞ぐ。
【００６７】
また、この導電モジュール１においては、それぞれの電線１０を電線収容室２０ａに収容にし、かつ、それぞれの電線１０とそれぞれの電線接続部４２との電気接続作業を終えた後、第１収容体２０を第２収容体３０に積層させることで、その組付けを完了させることができる。
【００６８】
このように、本実施形態の導電モジュール１においては、それぞれの電線１０を電線収容室２０ａに収容するだけでそれぞれの電線１０の配索作業を終了させ、そのままの位置で、それぞれの電線１０の一方の端末と端子接続部品４０（４０Ａ，４０Ｂ，４０Ｃ）の電線接続部４２の電気接続作業を実施することができる。よって、この導電モジュール１は、組付け作業性が良好なものとなっている。
【００６９】
また、本実施形態の導電モジュール１においては、第１収容体２０を第２収容体３０に積層させるだけで、その第１収容体２０によって第２収容体３０の接続作業口３０ｂを塞ぐことができる。よって、この導電モジュール１は、その接続作業口３０ｂを塞ぐためのカバーを別途用意して取り付ける必要がないので、この点からも、組付け作業性が良好なものとなっている。
【００７０】
一方、本実施形態の導電モジュール１は、第１収容体２０と第２収容体３０とを積層させるので、第１収容体２０と第２収容体３０とを積層させずにそのままの位置で止めておくものと比較して、第１収容体２０又は第２収容体３０が存在している場所の分だけ積層位置での体格の小型化を図ることができる。例えば、ここで示す導電モジュール１は、第２収容体３０が電池モジュールＢＭに組み付けられている状態において、作業位置で第２収容体３０よりも外側に第１収容体２０が配置されているが、その作業位置の第１収容体２０を第２収容体３０に積層させるので、この作業位置の第１収容体２０の体格の分だけ全体の体格の小型化を図ることができる。また、この導電モジュール１は、先に示したように、接続作業口３０ｂを塞ぐためのカバーを必要としないので、そのカバーの体格の分だけ全体の体格の小型化を図ることができる。
【００７１】
以上示したように、本実施形態の導電モジュール１は、良好な組付け作業性を確保しつつ体格の小型化を図ることができる。
【００７２】
ところで、この導電モジュール１においては、第１収容体２０と第２収容体３０とを積層させた後で、第１ガイド部２６の第２電線ガイド部２６ｂと第２ガイド部３６とが外方に露出してしまう可能性がある。そこで、この導電モジュール１には、第１収容体２０と第２収容体３０とが積層状態のときに第２電線ガイド部２６ｂを塞ぐことが可能な第１閉塞部８１（図１４）とその積層状態のときに第２ガイド部３６を塞ぐことが可能な第２閉塞部８２（図１５）の内の少なくとも一方を設けることが望ましい。例えば、第２電線ガイド部２６ｂと第２ガイド部３６の双方が外方に露出してしまう場合には、第１閉塞部８１と第２閉塞部８２の双方を設ければよい。また、第２電線ガイド部２６ｂと第２ガイド部３６の一方のみが外方に露出してしまう場合には、その露出してしまうものに対応させた第１閉塞部８１又は第２閉塞部８２を設ければよい。例えば、第１閉塞部８１や第２閉塞部８２は、第１収容体２０、第２収容体３０、第３収容体５０、カバーＣＶ１，ＣＶ２等に設ける。この第１閉塞部８１や第２閉塞部８２は、第２電線ガイド部２６ｂや第２ガイド部３６を外方から覆い塞ぐものであってもよく、第２電線ガイド部２６ｂや第２ガイド部３６に嵌め込むものであってもよい。
【００７３】
この例示では、第１閉塞部８１を電線係止部２４に設けている（図１４）。その第１閉塞部８１は、第１収容体２０及び第２収容体３０が積層状態で電線係止部２４が電線係止位置のときに第２電線ガイド部２６ｂを塞ぐものとして形成する。ここでは、第１閉塞部８１を電線係止部２４から突出させた片体状に形成している。更に、ここでは、第１閉塞部８１が電線係止部２４と一体になって成形されている。尚、この第１閉塞部８１は、貫通孔又は切欠きとしての第２係止体２５ｂをも塞ぐものとして形成してもよい。
【００７４】
また、この例示では、第２閉塞部８２を第２副ガイド壁２３に設けている（図１５）。その第２閉塞部８２は、第２副ガイド壁２３から突出させた片体状に形成している。更に、ここでは、第２閉塞部８２が第２副ガイド壁２３と一体になって成形されている。
【００７５】
このように、この導電モジュール１は、積層後に外方に露出してしまう第１ガイド部２６の第２電線ガイド部２６ｂや第２ガイド部３６を塞ぐことで、その第２電線ガイド部２６ｂや第２ガイド部３６からの異物の侵入を抑えることができるので、電線１０等の耐久性を向上させることができる。
【符号の説明】
【００７６】
１  導電モジュール
１０  電線
２０  第１収容体
２０ａ  電線収容室
２０ｂ  挿入口
２１  主ガイド壁（底壁）
２２  第１副ガイド壁（第１側壁）
２３  第２副ガイド壁（第２側壁）
２４  電線係止部
２６  第１ガイド部
２６ａ  第１電線ガイド部
２６ｂ  第２電線ガイド部
３０  第２収容体
３０ａ  接続部収容室
３０ｂ  接続作業口
３１  主壁
３２  第１側壁
３３  第２側壁
３６  第２ガイド部
４０，４０Ａ，４０Ｂ，４０Ｃ  端子接続部品
４２  電線接続部
６０Ａ  第１保持機構
６０Ｂ  第２保持機構
８１  第１閉塞部
８２  第２閉塞部
【図１】
2020119652.tif 000003
【図２】
2020119652.tif 000004
【図３】
2020119652.tif 000005
【図４】
2020119652.tif 000006
【図５】
2020119652.tif 000007
【図６】
2020119652.tif 000008
【図７】
2020119652.tif 000009
【図８】
2020119652.tif 000010
【図９】
2020119652.tif 000011
【図１０】
2020119652.tif 000012
【図１１】
2020119652.tif 000013
【図１２】
2020119652.tif 000014
【図１３】
2020119652.tif 000015
【図１４】
2020119652.tif 000016
【図１５】
2020119652.tif 000017